(57)【要約】  接地タンク内に配置され、操作機構部と連結される真空スイッチ管と、接地タンク内に配置されて、真空スイッチ管の可動側を支持する可動側絶縁支持物と、接地タンク内に配置されて、真空スイッチ管の固定側を支持する固定側絶縁支持物と、一方側は真空スイッチ管の可動側に接続されるとともに他方側は可動側碍管を介して接地タンクの上方に伸長配置される可動側端子導体と、一方側は真空スイッチ管の固定側に接続されるとともに他方側は固定側碍管を介して接地タンクの上方に伸長配置される固定側端子導体とを備えた電力開閉装置において、接地タンク内に配置され、真空スイッチ管の主回路に接続されるサージ抑制機器を設け、サージ抑制機器は、接地タンクの一部に設けた開口部に接地タンク内に突出するよう配設された円錐状絶縁物内に気密を保持して配置されるとともに、サージ抑制機器は、接地タンクの下方または側方に配置されたものである。
2014050184.tif 000002
【特許請求の範囲】
【請求項１】
軸心方向を水平方向に配置した接地タンクと、前記接地タンク内に水平方向に配置され、操作機構部と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側碍管を介して前記接地タンクの上方に伸長配置される可動側端子導体と、一方側は前記接地タンクの壁部を貫通して前記真空スイッチ管の固定側に接続されるとともに他方側は固定側碍管を介して前記接地タンクの上方に伸長配置される固定側端子導体とを備えた電力開閉装置において、前記接地タンク内に配置され、前記真空スイッチ管の主回路に接続されるサージ抑制機器を設け、前記サージ抑制機器は、前記接地タンクの一部に設けた開口部に前記接地タンク内に突出するよう配設された円錐状絶縁物内に気密を保持して配置されるとともに、前記サージ抑制機器は、前記接地タンクの下方または側方に配置されたことを特徴とする電力開閉装置。
【請求項２】
前記サージ抑制機器の端子は、接地線により点検用端子に接続されたことを特徴とする請求項１に記載の電力開閉装置。
【請求項３】
前記サージ抑制機器は、前記接地タンクに気密を保持して摺動できるものとし、前記サージ抑制機器と前記主回路とを接離可能としたことを特徴とする請求項１または請求項２に記載の電力開閉装置。
【発明の詳細な説明】
【技術分野】
【０００１】
この発明は、電力開閉装置に関し、接地タンク内に避雷器などのサージ抑制機器を電力開閉装置の主回路部と接離可能となるように取り付けるようにした電力開閉装置に関するものである。
【背景技術】
【０００２】
従来、電力開閉装置においては、優れた遮断性能を有する真空中で電流遮断を行なうために、回路の電流値が数Ａまで減少すると電流を遮断する裁断現象が発生するために、この裁断現象によって回路電圧の数倍の開閉サージが発生することが知られている。【０００３】
このため、電力開閉装置の開閉サージによる絶縁劣化、絶縁破壊が懸念される機器が電力系統に使用されている場合には、電力開閉装置と前記電力機器との間に、避雷器やサージアブソーバなどのサージ抑制機器が設置されているが、サージ抑制機器は、他の設備と十分な絶縁距離を確保して設置する必要があるため、変電所等の面積が大きくなることが問題点であり、十分な面積がない変電所では、サージ抑制機器を設置できないために電力開閉装置が採用されないことも問題点としてあった。
【先行技術文献】
【特許文献】
【０００４】
【特許文献１】特開２００６−９４６３６号公報
【特許文献２】特開２００６−１６５４３６号公報
【発明の概要】
【発明が解決しようとする課題】
【０００５】
上述した従来の電力開閉装置は、電力開閉装置が接続された電力系統内にある変圧器、リアクトル、ケーブルなどの電力機器の絶縁劣化の加速および、最悪のケースでは電力機器内で絶縁破壊が発生するという問題点があった。
また、電力開閉装置の開閉サージによる絶縁劣化、絶縁破壊が懸念される機器が電力系統に使用されている場合には、電力開閉装置と前記電力機器との間に、避雷器やサージアブソーバなどのサージ抑制機器が設置されているが、サージ抑制機器は、他の設備と十分な絶縁距離を確保して設置する必要があるため、変電所等の面積が大きくなることが問題点であり、十分な面積がない変電所では、サージ抑制機器を設置できないために電力開閉装置が採用されないことも問題点としてあった。【０００６】
この発明は、上記のような課題を解決するためになされたものであり、その目的は、単体電力開閉装置の占有スペースを増やすことなく、サージ抑制機器を設けて自己および他の機器のサージによる誤作動を防止すると共に、サージ電圧による絶縁劣化を抑制する電力開閉装置を提供するものである。
【課題を解決するための手段】
【０００７】
この発明に係わる電力開閉装置は、軸心方向を水平方向に配置した接地タンクと、前記接地タンク内に水平方向に配置され、操作機構と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側ブッシングを介して前記接地タンクの上方に伸長配置される可動側端子導体と、一方側は前記接地タンクの壁部を貫通して前記真空スイッチ管の固定側に接続されるとともに他方側は固定側ブッシングを介して前記接地タンクの上方に伸長配置される固定側端子導体とを備えた電力開閉装置において、前記接地タンク内に配置され、前記真空スイッチ管の主回路に接続されるサージ抑制機器を設け、前記サージ抑制機器は、前記接地タンクの一部に設けた開口部に前記接地タンク内に突出するよう配設された円錐状絶縁物内に気密を保持して配置されるとともに、前記サージ抑制機器は、前記接地タンクの下方または側方に配置されたものである。
【発明の効果】
【０００８】
この発明に係わる電力開閉装置によれば、電力開閉装置の開閉サージ保護のためにサージ抑制機器が必要な場合においても、サージ抑制機器設置のために別に設置スペースを確保する必要が無いなどの効果がある。
【図面の簡単な説明】
【０００９】
【図１】この発明の実施の形態１に係わる電力開閉装置を示す断面図である。
【図２】この発明の実施の形態１に係わる電力開閉装置の要部を示す断面図である。
【図３】この発明の実施の形態２に係わる電力開閉装置を一部断面で示す正面図である。
【図４】この発明の実施の形態３に係わる電力開閉装置を示す断面図である。
【図５】この発明の実施の形態３に係わる電力開閉装置の要部を示す断面図である。
【発明を実施するための形態】
【００１０】
実施の形態１．
以下、この発明の実施の形態１を図１および図２に基づいて説明するが、各図において、同一、または相当部材、部位については同一符号を付して説明する。
１は例えば真空遮断器のような電力開閉装置を示す。電気的に接地された円筒状の接地タンク２は、軸心方向を水平方向に配置されて設置されており、軸方向両端部の上方にはそれぞれほぼ径方向に可動側端子引出口２ａおよび固定側端子引出口２ｂが形成されている。また、接地タンク２の軸方向両端部の例えば下方側にはそれぞれ開口部２ｃおよび開口部２ｄが形成されている。なお、接地タンク２内には、絶縁性ガスとして、乾燥空気や窒素、二酸化炭素、ＳＦ６ガスといった絶縁性ガスが高圧力で封入されている。
【００１１】
接地タンク２の可動側端子引出口２ａの延長部には可動側碍管１６ａが可動側区画ブッシング１８ａを介して気密に取り付けられており、可動側端子引出口２ａの延長部周囲には可動側変流器２０ａが配置しており、可動側変流器２０ａを覆うように可動側変流器カバー１９ａを取り付けている。
また、固定側端子引出口２ｂの延長部には固定側碍管１６ｂが固定側区画ブッシング１８ｂを介して気密に取り付けられており、固定側端子引出口２ｂの延長部周囲には固定側変流器２０ｂが配置しており、固定側変流器２０ｂを覆うように固定側変流器カバー１９ｂを取り付けている。
【００１２】
接地タンク２内に水平方向に配置され、操作機構部２２と連結して操作される真空スイッチ管１０はセラミック等の絶縁材料からなる筒状に構成された絶縁筒と、この絶縁筒内に収容され固定接点１１ａを一端に保持する固定接点側導体１１と、この固定接点側導体１１と接離可能に設けられ可動接点１２ａを一端に保持する可動接点側導体１２とで構成されている。
接地タンク２の外部には固定接点１１ａと可動接点１２ａとを接離し開閉する操作機構部２２が設けられている。操作機構部２２は可動接点側導体１２を水平方向に移動させることで、固定接点１１ａと可動接点１２ａを接離させこの電力開閉装置の主回路を開閉する。
【００１３】
真空スイッチ管１０の両端には、真空スイッチ管１０の両端部の外周を囲うように可動側絶縁シールド２４ａおよび固定側絶縁シールド２４ｂが設けられている。そして、接地タンク２内に配置されて接地タンク２に支持され、真空スイッチ管１０の可動側を支持する可動側絶縁支持物２３ａと、接地タンク２内に配置されて接地タンク２に支持され、真空スイッチ管１０の固定側を支持する固定側絶縁支持物２３ｂとを設けている。
また、可動側接続導体２１ａ内には真空スイッチ管１０の可動接点側導体１２が配置され、可動接点側導体１２と可動側区画ブッシング１８ａの可動側中心導体１７ａの端部とを可動側つなぎ導体１００で接続する。固定側接続導体２１ｂには真空スイッチ管１０の固定接点側導体１１が配置され、固定接点側導体１１と固定側区画ブッシング１８ｂの固定側中心導体１７ｂの端部とを固定側つなぎ導体１０１で接続する。
【００１４】
可動側碍管１６ａの内部の可動側中心導体１７ａが真空スイッチ管１０の可動側つなぎ導体１００に接続され、固定側碍管１６ｂの内部の固定側中心導体１７ｂが真空スイッチ管１０の固定側つなぎ導体１０１に接続されている。
可動側つなぎ導体１００の一方は可動側絶縁シールド２４ａを貫通して真空スイッチ管１０の可動側に接続されており、固定側つなぎ導体１０１の一方は固定側絶縁シールド２４ｂを貫通して真空スイッチ管１０の固定側に接続されている。
可動接点側導体１２の他方は可動側絶縁支持物２３ａによって接地タンク２に電気的に絶縁した状態でスライド可能に支持され、固定接点側導体１１の他方は固定側絶縁支持物２３ｂによって接地タンク２に電気的に絶縁した状態で固定されている。
【００１５】
また、真空スイッチ管１０の可動側接続導体２１ａ、固定側接続導体２１ｂの何れか一方、または、可動側接続導体２１ａ、固定側接続導体２１ｂの両方の例えば下方近傍に、接地タンク２に対して径方向に開口部２ｃ、開口部２ｄを設け、例えば開口部２ｃに接地タンク２内に突出するよう配設された円錐状絶縁物２５を挿着している。また、円錐状絶縁物２５の下部には絶縁筒２６が気密に取り付けられている。この円錐状絶縁物２５および絶縁筒２６内に接地タンク２及びこの電力開閉装置の外部に対して気密を保持しつつ着脱可能に配置された避雷器やサージアブソーバなどのサージ抑制機器２７を取り付けている。
【００１６】
図２は図１のサージ抑制機器２７周囲の要部を示す断面図である。円錐状絶縁物２５は、その先端部を開口部２ｃから接地タンク２内に挿入して配置されており、開口部２ｃと絶縁フランジ２５ａは気密に接続されている。そして、円錐状絶縁物２５の円錐凹部内を覆うように絶縁筒２６がこの電力開閉装置の外部に対して気密に取り付けられている。
このように円錐状絶縁物２５および絶縁筒２６を配置することによりその接地タンク２の内外はガス的に分離されている。サージ抑制機器２７から下方に突出した接地側端子２７ａは、接地タンク２の開口部２ｃに設けたフランジ２ｅに、絶縁フランジ２５ａを介して、接地タンク２と電気的に絶縁して固定されている。なお、サージ抑制機器２７の主回路側端子２７ｂは、真空スイッチ管１０の主回路、すなわち可動側接続導体２１ａに設けた接続部に接離可能に接続される。
【００１７】
サージ抑制機器２７は、円錐状絶縁物２５と絶縁フランジ２５ａを介して、接地タンク２内とガス的に分離されており、サージ抑制機器２７を開口部２ｃより切り離しても、接地タンク２内の絶縁性ガスが外部に漏れることはない。これによりサージ抑制機器２７の交換時、接地タンク２内の絶縁性ガスの回収、再充填作業が不要となり、円錐状絶縁物２５の凹部内のガス交換のみでよくなるため、絶縁ガスの交換作業量を削減することができる。また、円錐状絶縁物２５を介することでこの電力開閉装置の主回路（可動側接続導体２１ａなど）とサージ抑制機器２７との間で確保すべき絶縁距離を短縮することができる。また、サージ抑制機器２７を電力開閉装置に内蔵することで、サージ抑制機器２７の設置のために電力開閉装置の設置スペースとは別に設置スペースを確保する必要が無く、また、サージ抑制機器２７の取り替えの際にも円錐状絶縁物２５内の絶縁ガス交換だけでよくなるため、長時間の運転停止が必要ないなどの効果がある。
また、サージ抑制機器２７を電力開閉装置の接地タンク２の下方から上方に向けて取り付けることで、サージ抑制機器２７を電力開閉装置の側部に突出しない構成にすることが出来るため、電力開閉装置の点検スペースを小さくすることが出来る。
【００１８】
また、可動側接続導体２１ａ、固定側接続導体２１ｂの両方の下方に設けた開口部２ｃ、開口部２ｄの内、サージ抑制機器２７を取り付けていない開口部２ｄ内には、着脱可能な蓋板２８を気密状態に取り付けることにより、その開口部２ｄ内に接地タンク２内で発生した分解ガスおよび接地タンク２内の絶縁媒体中の水分を吸着する吸着剤２９を設置することができる。また、開口部２ｃ、開口部２ｄは機器内の可動側つなぎ導体１００、固定側つなぎ導体１０１、真空スイッチ管１０等の点検を目的とする機器内点検口としても用いることができる。
【００１９】
実施の形態２．
この発明の実施の形態２を図３に基づいて説明する。上述した実施の形態１の電力開閉装置において、制御箱３０の近傍または電力開閉装置の接地端子３１の近傍にサージ抑制機器２７の点検を行なうための点検用端子３２を配置している。
サージ抑制機器２７の接地側端子２７ａに接続した接地線３３は、制御箱３０の近傍に配置した点検用端子３２に各相個別に接続し、点検用端子３２から電力開閉装置の接地端子３１までの間を各相一括の接地線３３で接続されている。
【００２０】
この実施の形態２では、制御箱３０の近傍に配置した点検用端子３２に各相のサージ抑制機器２７の接地側端子２７ａからの接地線３３を接続することで、点検用端子３２により各相一括にサージ抑制機器２７を管理することができる。また、電力開閉装置の接地端子３１と点検用端子３２を各相一括の接地線３３で接続することにより、接地線の削減と接地線取り付け作業効率を向上させることができる。
【００２１】
実施の形態３．
この発明の実施の形態３を図４および図５に基づいて説明するが、各図において、同一、または相当部材、部位については同一符号を付して説明する。上述した実施の形態１および実施の形態２ではサージ抑制機器２７を接地タンク２の開口部２ｃのフランジ２ｅに気密に着脱可能に固定したが、図４に示すように接地タンク２の開口部２ｃのフランジ２ｅ内をサージ抑制機器２７が気密に摺動できるように、接地タンク２の開口部２ｃに固定したスライドシールケース３４の貫通穴３４ａの内側に、スライドシールケース３４の貫通穴３４ａより内側に突出させたパッキン３５を設け、サージ抑制機器２７の接地側端子２７ａの一部にスライドシールケース３４の貫通穴３４ａの内径より僅かに小さな外径のスライドシール軸３６を設けた構造としている。
【００２２】
スライドシール軸３６がスライドシールケース３４の貫通穴３４ａより内側に突出させたパッキン３５を外周方向に押し付けながら摺動する構造としている。サージ抑制機器２７の主回路側端子２７ｂの先端には接触子３８を設け、サージ抑制機器２７を主回路側に挿入した状態では、サージ抑制機器２７の主回路側端子２７ｂが電力開閉装置の主回路に電気的に接続される。
【００２３】
この実施の形態３では、スライドシールケース３４とスライドシール軸３６により、サージ抑制機器２７を気密に摺動させることで、サージ抑制機器２７を接地タンク２の開口部２ｃより取り外さずに電力開閉装置の主回路とサージ抑制機器２７の主回路側端子２７ｂを接離することができる。
これにより、耐電圧試験時に一時的にサージ抑制機器２７の主回路側端子２７ｂを電力開閉装置の主回路と接離する場合に開口部２ｃよりサージ抑制機器２７を取り外し、試験後に取り付ける作業を削減することで、作業時間を短縮することができる。
【００２４】
ところで、上述した各実施の形態においては、接地タンク２の下方側に開口部２ｃを設けた場合について述べたが、これに限定されるものではなく、接地タンク２の側方に開口部２ｃを設けてもよく、上述した各実施の形態と同様の効果を奏する。
【００２５】
なお、この発明は、その発明の範囲内において、各実施の形態を自由に組み合わせたり、各実施の形態を適宜、変形、省略することが可能である。
【産業上の利用可能性】
【００２６】
この発明は、サージ抑制機器設置のために別に設置スペースを確保する必要が無い電力開閉装置の実現に好適である。
【符号の説明】
【００２７】
１  電力開閉装置、２  接地タンク、２ｃ  開口部、２ｄ  開口部、
１０  真空スイッチ管、１６ａ  可動側碍管、１６ｂ  固定側碍管、
２３ａ  可動側絶縁支持物、２３ｂ  固定側絶縁支持物、
２５  円錐状絶縁物、２５ａ  絶縁フランジ、２７  サージ抑制機器、
２７ａ  接地側端子、２７ｂ  主回路側端子、３２  点検用端子、
３３  接地線、３４  スライドシールケース、３５  パッキン、
３６  スライドシール軸、３７  接触子。
【図１】
2014050184.tif 000003
【図２】
2014050184.tif 000004
【図３】
2014050184.tif 000005
【図４】
2014050184.tif 000006
【図５】
2014050184.tif 000007
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
軸心方向を水平方向に配置した接地タンクと、前記接地タンク内に水平方向に配置され、操作機構部と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側碍管の内部を通って前記接地タンクの上方に伸長配置される可動側中心導体と、一方側は前記接地タンクの壁部を貫通して前記真空スイッチ管の固定側に接続されるとともに他方側は固定側碍管を通って前記接地タンクの上方に伸長配置される固定側中心導体とを備えた電力開閉装置において、前記接地タンクの一部に設けた開口部に先端部が前記接地タンク内に挿入して配置された円錐状絶縁物と、前記円錐状絶縁物の後端部に前記円錐状絶縁物の円錐凹部内を覆うように配置され前記接地タンク外に突出する絶縁筒と、前記絶縁筒の内部に気密を保持して配置されるとともに主回路側端子が前記円錐状絶縁物内に配置され、前記主回路側端子が前記真空スイッチ管の主回路に接続されるサージ抑制機器とを設け、前記サージ抑制機器は、前記接地タンクの下方または側方に配置されたことを特徴とする電力開閉装置。
【請求項２】
軸心方向を水平方向に配置した接地タンクと、前記接地タンク内に水平方向に配置され、操作機構部と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側碍管の内部を通って前記接地タンクの上方に伸長配置される可動側中心導体と、一方側は前記接地タンクの壁部を貫通して前記真空スイッチ管の固定側に接続されるとともに他方側は固定側碍管を通って前記接地タンクの上方に伸長配置される固定側中心導体とを備えた電力開閉装置において、前記接地タンクの一部に設けた開口部に配置され前記接地タンク外に突出する絶縁筒と、前記絶縁筒の内部に気密を保持して配置されるとともに主回路側端子が前記接地タンク内に配置され、前記主回路側端子が前記真空スイッチ管の主回路に接続されるサージ抑制機器と、前記真空スイッチ管の主回路側に配置され、前記サージ抑制機器の前記主回路側端子と接触される接触子と、前記サージ抑制機器の接地側端子の外周部に配置したスライドシール軸と、前記絶縁筒に配置され、前記スライドシール軸が挿通されるスライドシールケースとを設け、前記サージ抑制機器は、前記接地タンクの下方または側方に配置されたことを特徴とする電力開閉装置。
【請求項３】
前記サージ抑制機器の端子は、接地線により点検用端子に接続されたことを特徴とする請求項１または請求項２に記載の電力開閉装置。
【請求項４】
前記サージ抑制機器は、前記接地タンクに気密を保持して摺動できるものとし、前記サージ抑制機器と前記主回路とを接離可能としたことを特徴とする請求項２に記載の電力開閉装置。
【手続補正２】
【補正対象書類名】明細書
【補正対象項目名】０００７
【補正方法】変更
【補正の内容】
【０００７】
この発明に係わる電力開閉装置は、軸心方向を水平方向に配置した接地タンクと、前記接地タンク内に水平方向に配置され、操作機構部と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側碍管の内部を通って前記接地タンクの上方に伸長配置される可動側中心導体と、一方側は前記接地タンクの壁部を貫通して前記真空スイッチ管の固定側に接続されるとともに他方側は固定側碍管を通って前記接地タンクの上方に伸長配置される固定側中心導体とを備えた電力開閉装置において、前記接地タンクの一部に設けた開口部に先端部が前記接地タンク内に挿入して配置された円錐状絶縁物と、前記円錐状絶縁物の後端部に前記円錐状絶縁物の円錐凹部内を覆うように配置され前記接地タンク外に突出する絶縁筒と、前記絶縁筒の内部に気密を保持して配置されるとともに主回路側端子が前記円錐状絶縁物内に配置され、前記主回路側端子が前記真空スイッチ管の主回路に接続されるサージ抑制機器とを設け、前記サージ抑制機器は、前記接地タンクの下方または側方に配置されたものである。
また、この発明に係わる電力開閉装置は、軸心方向を水平方向に配置した接地タンクと、前記接地タンク内に水平方向に配置され、操作機構部と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側碍管の内部を通って前記接地タンクの上方に伸長配置される可動側中心導体と、一方側は前記接地タンクの壁部を貫通して前記真空スイッチ管の固定側に接続されるとともに他方側は固定側碍管を通って前記接地タンクの上方に伸長配置される固定側中心導体とを備えた電力開閉装置において、前記接地タンクの一部に設けた開口部に配置され前記接地タンク外に突出する絶縁筒と、前記絶縁筒の内部に気密を保持して配置されるとともに主回路側端子が前記接地タンク内に配置され、前記主回路端子が前記真空スイッチ管の主回路に接続されるサージ抑制機器と、前記真空スイッチ管の主回路側に配置され、前記サージ抑制機器の前記主回路端子と接触される接触子と、前記サージ抑制機器の接地側端子の外周部に配置したスライドシール軸と、前記絶縁筒に配置され、前記スライドシール軸が挿通されるスライドシールケースとを設け、前記サージ抑制機器は、前記接地タンクの下方または側方に配置されたものである。
【手続補正３】
【補正対象書類名】明細書
【補正対象項目名】００２２
【補正方法】変更
【補正の内容】
【００２２】
スライドシール軸３６がスライドシールケース３４の貫通穴３４ａより内側に突出させたパッキン３５を外周方向に押し付けながら摺動する構造としている。サージ抑制機器２７の主回路側端子２７ｂの先端には接触子３７を設け、サージ抑制機器２７を主回路側に挿入した状態では、サージ抑制機器２７の主回路側端子２７ｂが電力開閉装置の主回路に電気的に接続される。
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
軸心方向を水平方向に配置した接地タンクと、前記接地タンク内に水平方向に配置され、操作機構部と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側碍管の内部を通って前記接地タンクの上方に伸長配置される可動側中心導体と、一方側は前記接地タンクの壁部を貫通して前記真空スイッチ管の固定側に接続されるとともに他方側は固定側碍管を通って前記接地タンクの上方に伸長配置される固定側中心導体とを備えた電力開閉装置において、前記接地タンクの一部に設けた開口部に先端部が前記接地タンク内に挿入されて気密を保持して配置された円錐状絶縁物と、前記円錐状絶縁物の後端部に前記円錐状絶縁物の円錐凹部内を覆うとともに前記接地タンク外に突出する気密を保持して配置された絶縁筒と、前記絶縁筒の内部に気密を保持して配置されるとともに主回路側端子が前記円錐状絶縁物内に配置されるとともに前記主回路側端子が前記真空スイッチ管の主回路に接続されるサージ抑制機器とを設け、前記サージ抑制機器は、前記接地タンクの下方または側方に配置されたことを特徴とする電力開閉装置。
【請求項２】
軸心方向を水平方向に配置した接地タンクと、前記接地タンク内に水平方向に配置され、操作機構部と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側碍管の内部を通って前記接地タンクの上方に伸長配置される可動側中心導体と、一方側は前記接地タンクの壁部を貫通して前記真空スイッチ管の固定側に接続されるとともに他方側は固定側碍管を通って前記接地タンクの上方に伸長配置される固定側中心導体とを備えた電力開閉装置において、前記接地タンクの一部に設けた開口部に前記接地タンク外に突出する気密を保持して配置された絶縁筒と、前記絶縁筒の内部に気密を保持して配置されるとともに主回路側端子が前記接地タンク内に配置されるとともに前記主回路側端子が前記真空スイッチ管の主回路に接続されるサージ抑制機器と、前記真空スイッチ管の主回路側に配置され、前記サージ抑制機器の前記主回路側端子と接触される接触子と、前記絶縁筒の前記サージ抑制機器の接地側端子側に配置され、貫通穴を有するスライドシールケースと、前記サージ抑制機器の接地側端子の外周部に配置され、前記スライドシールケースの貫通穴に挿通されたスライドシール軸とを設け、前記サージ抑制機器は、前記接地タンクの下方または側方に配置されたことを特徴とする電力開閉装置。
【請求項３】
前記サージ抑制機器の端子は、接地線により点検用端子に接続されたことを特徴とする請求項１または請求項２に記載の電力開閉装置。
【請求項４】
前記サージ抑制機器は、前記接地タンクに気密を保持して摺動できるものとし、前記サージ抑制機器と前記主回路とを接離可能としたことを特徴とする請求項２に記載の電力開閉装置。
【手続補正２】
【補正対象書類名】明細書
【補正対象項目名】０００７
【補正方法】変更
【補正の内容】
【０００７】
この発明に係わる電力開閉装置は、軸心方向を水平方向に配置した接地タンクと、前記接地タンク内に水平方向に配置され、操作機構部と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側碍管の内部を通って前記接地タンクの上方に伸長配置される可動側中心導体と、一方側は前記接地タンクの壁部を貫通して前記真空スイッチ管の固定側に接続されるとともに他方側は固定側碍管を通って前記接地タンクの上方に伸長配置される固定側中心導体とを備えた電力開閉装置において、前記接地タンクの一部に設けた開口部に先端部が前記接地タンク内に挿入されて気密を保持して配置された円錐状絶縁物と、前記円錐状絶縁物の後端部に前記円錐状絶縁物の円錐凹部内を覆うとともに前記接地タンク外に突出する気密を保持して配置された絶縁筒と、前記絶縁筒の内部に気密を保持して配置されるとともに主回路側端子が前記円錐状絶縁物内に配置されるとともに前記主回路側端子が前記真空スイッチ管の主回路に接続されるサージ抑制機器とを設け、前記サージ抑制機器は、前記接地タンクの下方または側方に配置されたものである。
また、この発明に係わる電力開閉装置は、軸心方向を水平方向に配置した接地タンクと、前記接地タンク内に水平方向に配置され、操作機構部と連結される真空スイッチ管と、前記接地タンク内に配置されて前記接地タンクに支持され、前記真空スイッチ管の可動側を支持する可動側絶縁支持物と、前記接地タンク内に配置されて前記接地タンクに支持され、前記真空スイッチ管の固定側を支持する固定側絶縁支持物と、一方側は前記接地タンクの壁部を貫通して前記真空スイッチ管の可動側に接続されるとともに他方側は可動側碍管の内部を通って前記接地タンクの上方に伸長配置される可動側中心導体と、一方側は前記接地タンクの壁部を貫通して前記真空スイッチ管の固定側に接続されるとともに他方側は固定側碍管を通って前記接地タンクの上方に伸長配置される固定側中心導体とを備えた電力開閉装置において、前記接地タンクの一部に設けた開口部に前記接地タンク外に突出する気密を保持して配置された絶縁筒と、前記絶縁筒の内部に気密を保持して配置されるとともに主回路側端子が前記接地タンク内に配置されるとともに前記主回路側端子が前記真空スイッチ管の主回路に接続されるサージ抑制機器と、前記真空スイッチ管の主回路側に配置され、前記サージ抑制機器の前記主回路側端子と接触される接触子と、前記絶縁筒の前記サージ抑制機器の接地側端子側に配置され、貫通穴を有するスライドシールケースと、前記サージ抑制機器の接地側端子の外周部に配置され、前記スライドシールケースの貫通穴に挿通されたスライドシール軸とを設け、前記サージ抑制機器は、前記接地タンクの下方または側方に配置されたものである。
【国際調査報告】
2014050184.tif 000008
2014050184.tif 000009